(57)【要約】【課題】磁気ヘッドからの再生出力に応じて磁気ヘッドの突き出し量を自動調整し、磁気ヘッドや磁気テープ等の磨耗を抑制することができる磁気テープ再生装置を提供する。【解決手段】磁気ヘッドＨから読み取られる再生出力に応じて磁気ヘッドＨの突き出し量を調整して磁気ヘッドＨと磁気テープＭＴの接触状態を調整すると共に、２つのガイドローラ１，２を移動させて磁気ヘッドＨの突き出しによる負荷を軽減させることで常時安定して高い出力の再生出力を検出することができる。【選択図】　図１
2004022099.tif 000002
【特許請求の範囲】
【請求項１】
磁気テープが巻回された送出リールと、この送出リールから送出された磁気テープを巻き取る巻取リールと、前記送出リールと前記巻取リールの間に配置され、磁気テープの走行を案内する２つのガイドローラと、前記２つのガイドローラ間に張られた状態で走行する前記磁気テープに接触し、前記磁気テープから信号を読み取る磁気ヘッドとを備えて構成された磁気テープドライブであって、
前記磁気ヘッドで読み取られる信号の出力の大きさが所定の範囲内となるように、前記磁気ヘッドで読み取られた信号の出力の大きさに応じて前記磁気ヘッドを前記磁気テープの膜厚方向に移動させ、前記磁気ヘッドが前記２つのガイドローラを結ぶ基準線に対して突き出す量を調整するように構成したことを特徴とする磁気テープドライブ。
【発明の詳細な説明】
【０００１】
【発明の属する技術分野】
本発明は、ビデオテープレコーダ（ＶＴＲ）やコンピュータ等の磁気テープ等のデータを記録及び／又は再生する磁気テープドライブに関する。
【０００２】
【従来の技術】
近年、磁気テープは、高密度記録化が進んでおり、コンピュータのバックアップ用では１００ギガバイト程度の記憶容量を有するものがある。そのために、磁気テープには、幅方向に数１００本のデータトラックが形成されている。したがって、データトラックの幅は非常に狭くなっており、隣接するデータトラック間も非常に狭くなっている。
【０００３】
このような高密度記録化が進んだ磁気テープに信号（データ）を記録／再生するために、磁気テープドライブは、幅の狭い多数のデータ信号記録再生素子を有する磁気ヘッドを備えている。そして、磁気テープドライブは、磁気テープを走行させつつ、磁気ヘッドを磁気テープの幅方向に微少量移動させてデータ信号記録再生素子を各データトラック上に移動させることによって、各データトラックの本数分の記録／再生に対応している。
【０００４】
今後、磁気テープは、数１０テラバイト程度まで高密度記録化が進むことが予測され、磁気テープは、データトラック数が増え、データトラックの幅および隣接するデータトラック間は一層狭くなるとともに、線記録密度の向上に伴って磁性層が薄層化する。
【０００５】
そのため、従来の磁気テープドライブでは、増加したデータトラックの本数に対応して、磁気テープから信号（データ）を確実に検出するために、再生時に磁気テープに磁気ヘッドを突き出す（押し付ける）ことが行われている。
【０００６】
【発明が解決しようとする課題】
しかし、従来の磁気テープドライブでは、磁気テープに対して磁気ヘッドを突き出す量が多い程、磁気ヘッドからの再生出力が大きくなるが、磁気テープに対して磁気ヘッドを突き出す量が多すぎると、磁気ヘッドやガイドローラが磨耗したり、磁気テープを損傷させるおそれがある。つまり、従来の磁気テープドライブでは、磁気テープに対して磁気ヘッドを突き出す量が適切な量となるように調整することができないため、良好な再生出力を安定して得ることができないという問題があった。
【０００７】
そこで、本発明は、磁気テープの再生時に、磁気ヘッドから良好な再生出力を安定して得ることができる磁気テープドライブを提供することを目的とする。
【０００８】
【課題を解決するための手段】
前記した課題を解決するため、本発明の磁気テープドライブは、磁気テープが巻回された送出リールと、この送出リールから送出された磁気テープを巻き取る巻取リールと、前記送出リールと前記巻取リールの間に配置され、磁気テープの走行を案内する２つのガイドローラと、前記２つのガイドローラ間に張られた状態で走行する前記磁気テープに接触し、前記磁気テープから信号を読み取る磁気ヘッドとを備えて構成された磁気テープドライブであって、前記磁気ヘッドで読み取られる信号の出力の大きさが所定の範囲内となるように、前記磁気ヘッドで読み取られた信号の出力の大きさに応じて前記磁気ヘッドを前記磁気テープの膜厚方向に移動させ、前記磁気ヘッドが前記２つのガイドローラを結ぶ基準線に対して突き出す量を調整するように構成したことを特徴とする。
【０００９】
このように構成することにより、磁気ヘッドで読み取られる信号の出力の大きさが所定の範囲内となるように、磁気ヘッドで読み取られた磁気テープの信号の出力の大きさに応じて、磁気ヘッドを磁気テープの膜厚方向に移動させ、磁気ヘッドが２つのガイドローラを結ぶ基準線に対して突き出す量を調整することにより、磁気テープの再生時に磁気ヘッドから良好な再生出力を安定して得ることができる。
【００１０】
なお、磁気ヘッドで読み取られる信号の出力の大きさが、磁気ヘッドで読み取った信号の最大出力の７５〜９０％となるように磁気ヘッドが２つのガイドローラを結ぶ基準線に対して突き出す量を調整すると、より確実に、磁気テープの再生時に磁気ヘッドから良好な再生出力を安定して得ることができる。
【００１１】
また、本発明の磁気テープドライブは、前記磁気ヘッドで読み取られた信号の出力の大きさに応じて、前記２つのガイドローラの少なくとも一方を、磁気テープＭＴの走行方向及び／又は膜厚方向に移動させ、前記磁気ヘッドが前記２つのガイドローラを結ぶ基準線に対して突き出す量を調整するように構成することもできる。
【００１２】
このように構成することにより、磁気ヘッドで読み取られる信号の出力の大きさが所定の範囲内となるように、磁気ヘッドで読み取られた磁気テープの信号の出力の大きさに応じて、２つのガイドローラの少なくとも一方を、磁気テープＭＴの走行方向及び／又は膜厚方向に移動させ、磁気ヘッドが２つのガイドローラを結ぶ基準線に対して突き出す量を調整することにより、磁気テープの再生時に磁気ヘッドから良好な再生出力を安定して得ることができる。
【００１３】
また、本発明の磁気テープドライブは、前記磁気ヘッドで読み取られた信号の出力の大きさに応じて、前記磁気ヘッドを回転させて、前記磁気ヘッドが前記磁気テープと当たる角度を調整するように構成することもできる。
【００１４】
このように構成することにより、磁気ヘッドで読み取られる信号の出力の大きさが所定の範囲内となるように、磁気ヘッドで読み取られた磁気テープの信号の出力の大きさに応じて、前記磁気ヘッドを回転させて、前記磁気ヘッドが前記磁気テープと当たる角度を調整することにより、磁気テープの再生時に磁気ヘッドから良好な再生出力を安定して得ることができる。
【００１５】
【発明の実施の形態】
以下、本発明の一実施の形態に係る磁気ヘッドを、適宜図面を参照して説明する。図１は、本実施の形態の係る磁気テープドライブを概念的に示した正面図であり、図２は、図１に示した磁気テープドライブにおける磁気ヘッド及びガイドローラ付近を拡大した正面図である。また、図３、磁気ヘッド及びガイドローラを移動させた状態を示す正面図であり、図４は、磁気ヘッドを回転させた状態を示す正面図である。
【００１６】
磁気テープドライブは、図１及び図２に示すように、磁気テープＭＴが巻回された送出リールＲ１と、磁気テープＭＴを巻き取る巻取リールＲ２と、磁気テープＭＴの走行を案内する２つのガイドローラ１，２と、磁気テープＭＴに記録／再生を行う磁気ヘッドＨと、この磁気ヘッドＨから検出される再生出力に応じて図示しない駆動機構を制御して、ガイドローラ１、２及び磁気ヘッドＨを移動又は回転させる制御部３とを備えて構成されている。また、本実施の形態では、ガイドローラ１，２における磁気テープＭＴがかけられた部分を結ぶ線を基準線Ｂとする。
【００１７】
ガイドローラ１，２は、磁気テープＭＴの走行方向を制御するとともに、磁気テープＭＴの幅方向の位置を規定するように構成されている。また、ガイドローラ１，２は、図３に示すように、図示しない駆動機構によって、磁気テープＭＴの走行方向及び膜厚方向に移動できるように構成されている。
【００１８】
磁気ヘッドＨは、図３に示すように、図示しない駆動機構によって、磁気テープＭＴの膜厚方向に移動できるように構成されている。また、磁気ヘッドＨは、図４に示すように、図示しない駆動機構によって、軸４を中心にして回転できるように構成されている。
【００１９】
制御部３は、図３に示すように、磁気ヘッドＨから検出される再生出力に応じて図示しない駆動機構を制御して、ガイドローラ１，２及び磁気ヘッドＨを移動させて、磁気ヘッドＨが磁気テープＭＴに対して突き出す量（以下、「突き出し量」という）を調整する。なお、ここでいう「突き出し量」とは、磁気ヘッドＨと前記した基準線Ｂ（図１参照）との距離のことである。
【００２０】
具体的には、磁気テープＭＴの走行中に磁気ヘッドＨから検出された再生出力が、最大出力の７５〜９０％の範囲内で安定していないと判断すると、ガイドローラ１，２及び磁気ヘッドＨを移動させて（図３参照）、磁気ヘッドＨの突き出し量を調整する。このとき、図５（ａ）に示すように、ガイドローラ１，２だけを磁気テープＭＴの走行方向及び膜厚方向に移動させてもよいし、図５（ｂ）に示すように、磁気ヘッドＨだけを磁気テープＭＴの膜厚方向に移動させてもよい。
【００２１】
図６は、磁気ヘッドの突き出し量と、磁気ヘッドで検出された再生出力との関係を示したグラフである。図６のグラフから、磁気ヘッドＨの突き出し量が１〜６ｍｍの範囲では、磁気ヘッドＨの突き出し量が多くなるにつれて、再生出力が高くなることがわかる。そして、磁気ヘッドＨの突き出し量が６ｍｍを超えると、再生出力は一定となることがわかる。
【００２２】
したがって、図３に示すように、ガイドローラ１，２及び磁気ヘッドＨを移動させて、磁気ヘッドＨの突き出し量が６ｍｍとなるように調整することにより良好な再生出力を安定して得ることができる。
【００２３】
なお、磁気テープＭＴの突き出し量が大きくなると、磁気テープＭＴや磁気ヘッドＨに負荷がかかり、磁気テープＭＴや磁気ヘッドＨを磨耗させるおそれがあるが、磁気ヘッドＨの突き出し量が６ｍｍを超えないように調整することで、磁気テープＭＴや磁気ヘッドＨに余分な負荷がかかることを防ぐことができる。
【００２４】
また、制御部３は、図４に示すように、磁気ヘッドＨから検出される再生出力に応じて図示しない駆動機構を制御して、磁気ヘッドＨを回転させて、磁気ヘッドＨが磁気テープＭＴと当たる角度（以下、「磁気ヘッドの当たり角度」という）を調整することもできる。
【００２５】
図７は、磁気ヘッドの当たり角度と、磁気ヘッドで検出された再生出力との関係を示したグラフである。図７のグラフから、磁気ヘッドの当たり角度が０°の場合に、再生出力が最も高いことがわかる。また、磁気ヘッドの当たり角度が±１０°を超えると、再生出力が全く得られないことがわかる。
【００２６】
したがって、図４に示すように、磁気ヘッドＨを回転させて、磁気ヘッドの当たり角度が０°となるように調整することにより、良好な再生出力を安定して得ることができる。
【００２７】
【発明の効果】
以上説明したように、本発明によれば、磁気テープの再生時に、磁気ヘッドから良好な再生出力を安定して得ることができる磁気テープドライブを提供することができる。
【図面の簡単な説明】
【図１】本実施の形態の係る磁気テープドライブを概念的に示した正面図である。
【図２】図１に示した磁気テープドライブにおける磁気ヘッド及びガイドローラ付近を拡大した正面図である。
【図３】ガイドローラ及び磁気ヘッドを移動させた状態を示す正面図である。
【図４】磁気ヘッドを回転させた状態を示す正面図である。
【図５】（ａ）はガイドローラだけを移動させた状態を示す正面図であり、（ｂ）は磁気ヘッドだけを移動させた状態を示す正面図である。
【図６】磁気ヘッドの突き出し量と、磁気ヘッドで検出された再生出力との関係を示したグラフである。
【図７】磁気ヘッドの当たり角度と、磁気ヘッドで検出された再生出力との関係を示したグラフである。
【符号の説明】
１　　・・・ガイドローラ
２　　・・・ガイドローラ
３　　・・・制御部
４　　・・・軸
Ｂ　　・・・基準線
Ｒ１　・・・送出リール
Ｒ２　・・・巻取リール
Ｈ　　・・・磁気ヘッド
ＭＴ　・・・磁気テープ
【図１】
2004022099.tif 000003
【図２】
2004022099.tif 000004
【図３】
2004022099.tif 000005
【図４】
2004022099.tif 000006
【図５】
2004022099.tif 000007
【図６】
2004022099.tif 000008
【図７】
2004022099.tif 000009